(57)【要約】【目的】ユーザ動画に広告を挿入する。【構成】第１クライアント・コンピュータ１等からアップロードされたユーザ動画ファイルがユーザ動画データベース21に多数格納されている。第２のクライアント・コンピュータ２からユーザ動画ファイルのリクエストがあると，リクエストされたユーザ動画ファイルがユーザ動画データベース21から読み出される。また，読み出されたユーザ動画ファイルによって表わされるユーザ動画に挿入する広告動画が決定される。決定された広告動画を表す広告動画ファイルが広告動画データベース22から読み出される。ユーザ動画に広告動画が挿入された広告付き動画ファイルが生成されて，第２のクライアント・コンピュータ２に送信される。【選択図】図１
2008228123.tif 000002
【特許請求の範囲】
【請求項１】
第１のクライアント・コンピュータからアップロードされたユーザ動画ファイルを受信するユーザ動画ファイル受信手段，
上記ユーザ動画ファイル受信手段によって受信したユーザ動画ファイルを格納するようにユーザ動画データベースを制御するユーザ動画データベース制御手段，
第２のクライアント・コンピュータから送信されたユーザ動画ファイル・リクエストを受信するユーザ動画ファイル・リクエスト受信手段，
上記ユーザ動画ファイル・リクエスト受信手段によって受信したユーザ動画ファイル・リクエストに対応したユーザ動画ファイルを上記ユーザ動画データベースから見つけ出すユーザ動画ファイル検索手段，
広告動画データベースに格納されている広告動画ファイルの中から，上記ユーザ動画ファイル検索手段によって見つけ出されたユーザ動画ファイルとともに上記第２のクライアント・コンピュータに送信する広告動画ファイルを決定する広告動画ファイル決定手段，
上記広告動画ファイル決定手段によって決定された広告動画ファイルを，上記広告動画データベースの中から見つけ出す広告動画ファイル検索手段，
上記広告動画ファイル検索手段によって上記広告動画データベースの中から見つけ出された広告動画ファイルによって表わされる広告動画が，上記ユーザ動画ファイル検索手段によって上記ユーザ動画データベースの中から見つけ出されたユーザ動画ファイルによって表わされるユーザ動画に挿入された広告付き動画を表わす広告付き動画ファイルを生成する広告付き動画ファイル生成手段，ならびに
上記広告付き動画ファイル生成手段によって生成された広告付き動画ファイルを上記第２のクライアント・コンピュータに送信する広告付き動画ファイル送信手段，
を備えた広告付き動画送信装置。
【請求項２】
上記広告付き動画ファイル送信手段から送信された広告付き動画ファイルの送信回数を，上記動画ファイル送信手段から広告動画ファイルとともに送信されたユーザ動画ファイルの所有者ごとに計数する広告動画ファイル送信回数計数手段，および
上記広告動画ファイル送信回数計数手段によって，上記所有者ごとに計数された送信回数にもとづいて，上記所有者に支払う広告掲載料を算出する広告掲載料算出手段，
を備えた請求項１に記載の広告付き動画送信装置。
【請求項３】
第１のクライアント・コンピュータからアップロードされたユーザ動画ファイルが格納されているユーザ動画ファイル・データベースから，第２のクライアント・コンピュータから送信されたユーザ動画ファイル・リクエストに対応したユーザ動画ファイルを見つけ出すユーザ動画ファイル検索手段，
広告動画データベースに格納されている広告動画ファイルの中から，上記ユーザ動画ファイル検索手段によって見つけ出されたユーザ動画ファイルとともに上記第２のクライアント・コンピュータに送信する広告動画ファイルを決定する広告動画ファイル決定手段，
上記広告動画ファイル決定手段によって決定された広告動画ファイルを，上記広告動画データベースの中から見つけ出す広告動画ファイル検索手段，
上記広告動画ファイル検索手段によって上記広告動画データベースの中から見つけ出された広告動画ファイルによって表わされる広告動画が，上記ユーザ動画ファイル検索手段によって上記ユーザ動画データベースの中から見つけ出されたユーザ動画ファイルによって表わされるユーザ動画に挿入された広告付き動画を表わす広告付き動画ファイルを生成する広告付き動画ファイル生成手段，ならびに
上記広告付き動画ファイル生成手段によって生成された広告付き動画ファイルを上記第２のクライアント・コンピュータに送信する広告付き動画ファイル送信手段，
を備えた広告付き動画送信装置。
【請求項４】
ユーザ動画ファイル受信手段が，第１のクライアント・コンピュータからアップロードされたユーザ動画ファイルを受信し，
ユーザ動画データベース制御手段が，上記ユーザ動画ファイル受信手段によって受信したユーザ動画ファイルを格納するようにユーザ動画データベースを制御し，
ユーザ動画ファイル・リクエスト受信手段が，第２のクライアント・コンピュータから送信されたユーザ動画ファイル・リクエストを受信し，
ユーザ動画ファイル検索手段が，上記ユーザ動画ファイル・リクエスト受信手段によって受信したユーザ動画ファイル・リクエストに対応したユーザ動画ファイルを上記ユーザ動画データベースから見つけ出し，
広告動画ファイル決定手段が，広告動画データベースに格納されている広告動画ファイルの中から，上記ユーザ動画ファイル検索手段によって見つけ出されたユーザ動画ファイルとともに上記第２のクライアント・コンピュータに送信する広告動画ファイルを決定し，
広告動画ファイル検索手段が，上記広告動画ファイル決定手段によって決定された広告動画ファイルを，上記広告動画データベースの中から見つけ出し，
広告動画ファイル生成手段が，上記広告動画ファイル検索手段によって上記広告動画データベースの中から見つけ出された広告動画ファイルによって表わされる広告動画が，上記ユーザ動画ファイル検索手段によって上記ユーザ動画データベースの中から見つけ出されたユーザ動画ファイルによって表わされるユーザ動画に挿入された広告付き動画を表わす広告付き動画ファイルを生成し，
広告付き動画ファイル送信手段が，上記広告付き動画ファイル生成手段によって生成された広告付き動画ファイルを上記第２のクライアント・コンピュータに送信する，
広告付き動画送信装置の動作制御方法。
【請求項５】
ユーザ動画ファイル検索手段が，第１のクライアント・コンピュータからアップロードされたユーザ動画ファイルが格納されているユーザ動画ファイル・データベースから，第２のクライアント・コンピュータから送信されたユーザ動画ファイル・リクエストに対応したユーザ動画ファイルを見つけ出し，
広告動画ファイル検索手段が，広告動画データベースに格納されている広告動画ファイルの中から，上記ユーザ動画ファイル検索手段によって見つけ出されたユーザ動画ファイルとともに上記第２のクライアント・コンピュータに送信する広告動画ファイルを決定し，
広告動画ファイル検索手段が，上記広告動画ファイル決定手段によって決定された広告動画ファイルを，上記広告動画データベースの中から見つけ出し，
広告動画ファイル生成手段が，上記広告動画ファイル検索手段によって上記広告動画データベースの中から見つけ出された広告動画ファイルによって表わされる広告動画が，上記ユーザ動画ファイル検索手段によって上記ユーザ動画データベースの中から見つけ出されたユーザ動画ファイルによって表わされるユーザ動画に挿入された広告付き動画をあらわす広告付き動画ファイルを生成し，
広告付き動画ファイル送信手段が，上記広告付き動画ファイル生成手段によって生成された広告付き動画ファイルを上記第２のクライアント・コンピュータに送信する，
広告付き動画送信装置の動作制御方法。
【請求項６】
第１のクライアント・コンピュータからアップロードされたユーザ動画ファイルを受信させる手順，
受信したユーザ動画ファイルを格納するようにユーザ動画データベースを制御させる手順，
第２のクライアント・コンピュータから送信されたユーザ動画ファイル・リクエストを受信させる手順，
受信したユーザ動画ファイル・リクエストに対応したユーザ動画ファイルをユーザ動画データベースから見つけ出させる手順，
広告動画データベースに格納されている広告動画ファイルの中から，見つけ出されたユーザ動画ファイルとともに上記第２のクライアント・コンピュータに送信する広告動画ファイルを決定させる手順，
決定された広告動画ファイルを，上記広告動画データベースの中から見つけ出させる手順，
上記広告動画データベースの中から見つけ出された広告動画ファイルによって表わされる広告動画が，上記ユーザ動画データベースの中から見つけ出されたユーザ動画ファイルによって表わされるユーザ動画に挿入された広告付き動画を表わす広告付き動画ファイルを生成させる手順，
生成された広告付き動画ファイルを上記第２のクライアント・コンピュータに送信させる手順からなる広告付き動画送信装置を制御するプログラム。
【請求項７】
第１のクライアント・コンピュータからアップロードされたユーザ動画ファイルが格納されているユーザ動画ファイル・データベースから，第２のクライアント・コンピュータから送信されたユーザ動画ファイル・リクエストに対応したユーザ動画ファイルを見つけ出させる手順，
広告動画データベースに格納されている広告動画ファイルの中から，見つけ出されたユーザ動画ファイルとともに上記第２のクライアント・コンピュータに送信さする広告動画ファイルを決定させる手順，
決定された広告動画ファイルを，上記広告動画データベースの中から見つけ出させる手順，
上記広告動画データベースの中から見つけ出された広告動画ファイルによって表わされる広告動画が，上記ユーザ動画データベースの中から見つけ出されたユーザ動画ファイルによって表わされるユーザ動画に挿入された広告付き動画を表わす広告付き動画ファイルを生成させる手順，
生成された広告付き動画ファイルを上記第２のクライアント・コンピュータに送信させる手順からなる広告付き動画送信装置を制御するプログラム。
【請求項８】
請求項７または８に記載のプログラムを格納した記録媒体。
【発明の詳細な説明】
【技術分野】
【０００１】
この発明は，広告付き動画送信装置ならびにその動作制御方法およびその制御プログラムに関する。
【背景技術】
【０００２】
ユーザに広告するために，楽曲に広告音声を挿入することが考えられている（特許文献１）。
【特許文献１】特開２００２−１９６７７２号公報
【０００３】
また，ユーザが作成した動画ファイルをアップロードできるウェブ・サイトが存在する。そのようなウェブ・サイトを提供する企業は，ウェブ・サイト上に広告を表示して，その広告によって収入を得ている。
【０００４】
しかしながら，ユーザの多くは，ウェブ・サイトの動画を見るのであって，ウェブ・サイトの広告を見る時間は少ない。また，ウェブ・サイトの動画に直接リンクを張った場合には，そのウェブ・サイトにアクセスすることなく，動画を見ることができるので，ウェブ・サイトの広告を全く見ないことがある。
【発明の開示】
【０００５】
この発明は，ユーザに広告を閲覧させることを目的とする。
【０００６】
第１の発明による広告付き動画送信装置は，第１のクライアント・コンピュータからアップロードされたユーザ動画ファイルを受信するユーザ動画ファイル受信手段，上記ユーザ動画ファイル受信手段によって受信したユーザ動画ファイルを格納するようにユーザ動画データベースを制御するユーザ動画データベース制御手段，第２のクライアント・コンピュータから送信されたユーザ動画ファイル・リクエストを受信するユーザ動画ファイル・リクエスト受信手段，上記ユーザ動画ファイル・リクエスト受信手段によって受信したユーザ動画ファイル・リクエストに対応したユーザ動画ファイルを上記ユーザ動画データベースから見つけ出すユーザ動画ファイル検索手段，広告動画データベースに格納されている広告動画ファイルの中から，上記ユーザ動画ファイル検索手段によって見つけ出されたユーザ動画ファイルとともに上記第２のクライアント・コンピュータに送信する広告動画ファイルを決定する広告動画ファイル決定手段，上記広告動画ファイル決定手段によって決定された広告動画ファイルを，上記広告動画データベースの中から見つけ出す広告動画ファイル検索手段，上記広告動画ファイル検索手段によって上記広告動画データベースの中から見つけ出された広告動画ファイルによって表わされる広告動画が，上記ユーザ動画ファイル検索手段によって上記ユーザ動画データベースの中から見つけ出されたユーザ動画ファイルによって表わされるユーザ動画に挿入された広告付き動画を表わす広告付き動画ファイルを生成する広告付き動画ファイル生成手段，ならびに上記広告付き動画ファイル生成手段によって生成された広告付き動画ファイルを上記第２のクライアント・コンピュータに送信する広告動画ファイル送信手段を備えていることを特徴とする。
【０００７】
第１の発明は，上記広告付き動画送信装置に適した動作制御方法も提供している。すなわち，この方法は，ユーザ動画ファイル受信手段が，第１のクライアント・コンピュータからアップロードされたユーザ動画ファイルを受信し，ユーザ動画データベース制御手段が，上記ユーザ動画ファイル受信手段によって受信したユーザ動画ファイルを格納するようにユーザ動画データベースを制御し，ユーザ動画ファイル・リクエスト受信手段が，第２のクライアント・コンピュータから送信されたユーザ動画ファイル・リクエストを受信し，ユーザ動画ファイル検索手段が，上記ユーザ動画ファイル・リクエスト受信手段によって受信したユーザ動画ファイル・リクエストに対応したユーザ動画ファイルをユーザ動画データベースから見つけ出し，広告動画ファイル決定手段が，広告動画データベースに格納されている広告動画ファイルの中から，上記ユーザ動画ファイル検索手段によって見つけ出されたユーザ動画ファイルとともに上記第２のクライアント・コンピュータに送信する広告動画ファイルを決定し，広告動画ファイル検索手段が，上記広告動画ファイル決定手段によって決定された広告動画ファイルを，上記広告動画データベースの中から見つけ出し，広告付き動画ファイル生成手段が，上記広告動画データベースの中から見つけ出された広告動画ファイルによって表わされる広告動画が，上記ユーザ動画データベースの中から見つけ出されたユーザ動画ファイルによって表わされるユーザ動画に挿入された広告付き動画をあらわす広告付き動画ファイルを生成し，広告付き動画ファイル送信手段が，上記広告付き動画ファイル生成手段によって生成された広告付き動画ファイルを上記第２のクライアント・コンピュータに送信するものである。
【０００８】
第１の発明は，上記広告付き動画送信装置の動作制御方法を実現するためのプログラムおよびプログラムを格納した記録媒体も提供している。
【０００９】
第１の発明によると，第１のクライアント・コンピュータからユーザ動画ファイルがアップロードされてユーザ動画データベースに格納される。第２のクライアント・コンピュータからユーザ動画ファイル・リクエストが受信されると，受信した動画ファイル・リクエストに対応したユーザ動画ファイルがユーザ動画データベースの中から見つけられる。見つけられたユーザ動画ファイルとともに送信される広告動画ファイルが，広告動画データベースの中から決定される。決定された広告動画ファイルによって表される広告動画がユーザ動画ファイルによって表わされるユーザ動画の中に挿入される広告付き動画ファイルが生成される。生成された広告付き動画ファイルが第２のクライアント・コンピュータに送信される。広告が挿入された動画が第２のクライアント・コンピュータに送信されるので，その動画を閲覧することによりユーザに広告を見せることができる。
【００１０】
上記広告付き動画ファイル送信手段から送信された広告付き動画ファイルの送信回数を，上記動画ファイル送信手段から広告動画ファイルとともに送信されたユーザ動画ファイルの所有者ごとに計数する広告動画ファイル送信回数計数手段，および上記広告動画ファイル送信回数計数手段によって，上記所有者ごとに計数された送信回数にもとづいて，上記所有者に支払う広告掲載料を算出する広告掲載料算出手段を備えていることを特徴とする。
【００１１】
第２の発明は，第１のクライアント・コンピュータからアップロードされたユーザ動画ファイルが格納されているユーザ動画ファイル・データベースから，第２のクライアント・コンピュータから送信されたユーザ動画ファイル・リクエストに対応したユーザ動画ファイルを見つけ出すユーザ動画ファイル検索手段，広告動画データベースに格納されている広告動画ファイルの中から，上記ユーザ動画ファイル検索手段によって見つけ出されたユーザ動画ファイルとともに上記第２のクライアント・コンピュータに送信する広告動画ファイルを決定する広告動画ファイル決定手段，上記広告動画ファイル決定手段によって決定された広告動画ファイルを，上記広告動画データベースの中から見つけ出す広告動画ファイル検索手段，上記広告動画ファイル検索手段によって上記広告動画データベースの中から見つけ出された広告動画ファイルによって表わされる広告動画が，上記ユーザ動画ファイル検索手段によって上記ユーザ動画データベースの中から見つけ出されたユーザ動画ファイルによって表わされるユーザ動画に挿入された広告付き動画を表わす広告付き動画ファイルを生成する広告付き動画ファイル生成手段，ならびに上記広告付き動画ファイル生成手段によって生成された広告付き動画ファイルを上記第２のクライアント・コンピュータに送信する広告付き動画ファイル送信手段を備えていることを特徴とする。
【００１２】
第２の発明は，上記広告付き動画送信装置の動作制御方法も提供している。すなわち，この方法は，ユーザ動画ファイル検索手段が，第１のクライアント・コンピュータからアップロードされたユーザ動画ファイルが格納されているユーザ動画ファイル・データベースから，第２のクライアント・コンピュータから送信されたユーザ動画ファイル・リクエストに対応したユーザ動画ファイルを見つけ出し，広告動画ファイル検索手段が，広告動画データベースに格納されている広告動画ファイルの中から，上記ユーザ動画ファイル検索手段によって見つけ出されたユーザ動画ファイルとともに上記第２のクライアント・コンピュータに送信する広告動画ファイルを決定し広告動画ファイル検索手段が，上記広告動画ファイル決定手段によって決定された広告動画ファイルを，上記広告動画データベースの中から見つけ出し，広告動画ファイル生成手段が，上記広告動画ファイル検索手段によって上記広告動画データベースの中から見つけ出された広告動画ファイルによって表わされる広告動画が，上記ユーザ動画ファイル検索手段によって上記ユーザ動画データベースの中から見つけ出されたユーザ動画ファイルによって表わされるユーザ動画に挿入された広告付き動画を表わす広告付き動画ファイルを生成し，広告付き動画ファイル送信手段が，上記広告付き動画ファイル生成手段によって生成された広告付き動画ファイルを上記第２のクライアント・コンピュータに送信するものである。
【００１３】
第２の発明は，上記広告付き動画送信装置の動作制御方法を実現するためのプログラムおよびそのプログラムを格納した記録媒体も提供している。
【００１４】
第２の発明においても第１のクライアント・コンピュータからアップロードされたユーザ動画ファイルがユーザ動画データベースに格納されている。第２のクライアント・コンピュータから送信されたユーザ動画ファイル・リクエストに応じて，動画ファイル・リクエストに対応したユーザ動画ファイルがユーザ動画データベースの中から見つけられる。見つけられたユーザ動画ファイルとともに送信される広告動画ファイルが，広告動画データベースの中から決定される。決定された広告動画ファイルによって表される広告動画がユーザ動画ファイルによって表わされるユーザ動画の中に挿入される広告付き動画ファイルが生成される。生成された広告付き動画ファイルが第２のクライアント・コンピュータに送信される。広告が挿入された動画が第２のクライアント・コンピュータに送信されるので，その動画を閲覧することにより広告を見せることができる。
【実施例】
【００１５】
図１は，この発明の実施例を示すもので，動画サーバ（広告付き動画送信装置）の電気的構成を示すブロック図である。
【００１６】
動画サーバ10は，第１のクライアント・コンピュータ１および第２のクライアント・コンピュータ２とネットワーク（図示略）を介して通信可能である。第１のクライアント・コンピュータ１は，ユーザ動画ファイルを動画サーバ１にアップロードするものであり，第２クライアント・コンピュータ２は，動画サーバ10にアップロードされたユーザ動画ファイルによって表わされる動画を閲覧するものである。閲覧される動画には，広告が挿入される。第２のクライアント・コンピュータ２のユーザは広告が挿入された動画を閲覧することとなる。
【００１７】
第１のクライアント・コンピュータ１から動画サーバ10に，ユーザ動画ファイルがアップロードされる。アップロードされたユーザ動画ファイルは，動画サーバ10に含まれるユーザ動画受信装置11において受信される。受信されたユーザ動画ファイルは，ユーザ動画データベース21に格納される。ユーザ動画データベース21には，第１のクライアント・コンピュータ１からアップロードされたユーザ動画ファイルだけでなく，他のクライアント・コンピュータ等からアップロードされた動画ファイルも多数格納されている。
また，ユーザ動画データベース21には，ユーザ動画ファイルだけでなく，ユーザ動画ファイルによって表されるユーザ動画の属性を表わすデータも格納されている。
【００１８】
図２は，ユーザ動画属性の一例である。
【００１９】
ユーザ動画属性は，ユーザ動画データベース21に格納されているユーザ動画ファイルのファイル名ごとにユーザ動画の属性を表すものである。ユーザ動画属性には，ユーザ動画の長さ（再生時間），ユーザ動画のジャンル，ユーザ動画に付加されている音声の言語，ユーザ動画の閲覧対象年齢などが格納されている。これらのユーザ動画属性は，ユーザ動画の所有者によって，ユーザ動画ファイルのヘッダに格納されている。ヘッダに格納されているユーザ動画属性が読み取られてユーザ動画データベース21に格納される。
【００２０】
図１に戻って，第２のクライアント・コンピュータ２から動画サーバ10に，ユーザ動画ファイル・リクエストが送信される。ユーザ動画ファイル・リクエストは，動画サーバ10の広告付き動画通信装置14を介してユーザ／広告動画決定装置12に入力する。ユーザ／広告動画決定装置12において，第２のクライアント・コンピュータ２から送信されたユーザ動画ファイル・リクエストに対応するユーザ動画ファイルがユーザ動画データベース21の中から見つけられる。また，見つけられたユーザ動画ファイルによって表わされるユーザ動画に挿入される広告動画を表す広告動画ファイルが広告動画データベース22から見つけられる。広告動画データベース22には，多数の広告動画ファイルが格納されているほか，広告条件を示すデータも格納されている。
【００２１】
図３は，広告条件を示す一例である。
【００２２】
広告条件には，広告動画ファイルごとに，その広告動画ファイルが挿入されるユーザ動画が適合するジャンル，広告動画ファイルによって表わされる広告を閲覧するのに適した年齢層（適合年齢層），広告の適合言語，その広告の最大表示回数，その広告がユーザ動画に挿入された場合にユーザ動画の所有者に与えられるポイントがある。これらの広告条件は，広告主によって決定されている。
【００２３】
再び，図１に戻って，第２のクライアント・コンピュータ２から送信されたユーザ動画リクエストによって特定されるユーザ動画に挿入する広告として適した広告動画が広告条件にもとづいて，広告動画決定装置12において決定される。挿入される広告として適した広告が多数存在する場合には，ポイントの高い順に決定してもよいし，適合度のもっとも高いものを決定してもよい。決定された広告動画ファイルが広告動画データベース22から読み出されて広告付き動画生成装置13に入力する。また，ユーザ動画データベース21から読み取られたユーザ動画ファイル（第２のクライアント・コンピュータ２から送信されたユーザ動画リクエストに対応したもの）も広告付き動画生成装置13に入力する。
【００２４】
広告付き動画生成装置13において，入力したユーザ動画ファイルによって表わされるユーザ動画に，広告動画ファイルによって表わされる広告動画が挿入された広告付き動画を表す広告付き動画ファイルが生成される。広告付き動画は，ユーザ動画に先立って広告動画が再生されるものであってもよいし，ユーザ動画の途中で広告動画が表示されるものでもよい。好ましくは，広告動画をスキップできないようにするとよい。
【００２５】
広告付き動画生成装置13において生成された広告付き動画ファイルは，広告付き動画通信装置14に入力する。広告付き動画通信装置14によって，広告付き動画ファイルが第２のクライアント・コンピュータ２に送信される。第２のクライアント・コンピュータ２のユーザは，所望のユーザ動画を閲覧できるようになる。
【００２６】
動画サーバ10には，送信ログ・データベース23も接続されている。送信ログ・データベース23は，広告付き動画ファイルの送信ログを格納するものである。
【００２７】
図４は，送信ログの一例である。
【００２８】
送信ログには，広告付き動画ファイルの送信日時，広告付き動画ファイルによって表わされる広告付き動画に含まれるユーザ動画の所有者（著作権者，著作者），広告付き動画ファイルに含まれるユーザ動画のファイル名，広告付き動画ファイルに含まれる広告の動画ファイル名，広告主，広告動画ファイルがユーザ動画ファイルに挿入されてユーザに送信された場合にそのユーザ動画ファイルの所有者に与えられるポイントなどが含まれている。このような送信ログが，広告付き動画ファイルがユーザに送信されるごとに更新される。
【００２９】
図５は，ユーザ動画ファイルをアップロードする処理手順を示すフローチャートである。
【００３０】
上述したように，アップロードするユーザ動画ファイルが，第１のクライアント・コンピュータ１のユーザによって選択される（ステップ31）。選択されたユーザ動画ファイルが第１のクライアント・コンピュータ１から動画サーバ30に送信される（ステップ32
）。上述したように，ユーザ動画ファイルのヘッダには，ユーザ動画属性があらかじめ格納されているのはいうまでもない。
【００３１】
第１のクライアント・コンピュータ１から送信されたユーザ動画ファイルが動画サーバ30において受信される（ステップ41）。すると，受信したユーザ動画ファイルがユーザ動画データベースに格納される（ステップ42）。ユーザ動画ファイルに格納されているユーザ動画属性もユーザ動画データベースに格納される。
【００３２】
図６は，所望のユーザ動画ファイルを動画サーバにリクエストする処理手順を示すフローチャートである。
【００３３】
上述したように，第２のクライアント・コンピュータ２から動画サーバ30に所望の動画を特定するためのユーザ動画リクエストが送信される（ステップ31）。
【００３４】
第２のクライアント・コンピュータ２から送信されたユーザ動画リクエストが動画サーバ30において受信されると（ステップ61）,そのユーザ動画リクエストによって特定されるユーザ動画ファイルがユーザ動画データベース21の中から見つけられる（ステップ62）。見つけられたユーザ動画ファイルに格納されている動画属性と広告条件とにもとづいて，ユーザ動画に挿入する広告動画ファイルが決定される（ステップ63）。決定された広告動画ファイルが広告動画データベース22の中から見つけられる。
【００３５】
見つけられたユーザ動画に広告動画が挿入されるように，ユーザ動画ファイルと広告動画ファイルとから広告付き動画を表わす広告付き動画ファイルが生成される（ステップ65）。生成された広告付き動画ファイルが動画サーバ30から第２のクライアント・コンピュータ２に送信される（ステップ66）。
【００３６】
動画サーバ30から送信された広告付き動画ファイルが第２のクライアント・コンピュータ２において受信されると（ステップ52），広告付き動画が再生される（ステップ53）。第２のクライアント・コンピュータ２のユーザに広告が挿入されたユーザ動画を閲覧させることができるようになる。
【００３７】
広告付き動画ファイルが第２のクライアント・コンピュータ２に送信されると，送信ログが更新される（ステップ67）。送信ログにもとづいて，ユーザ動画の所有者ごとの広告掲載料が算出される（ステップ68）。ユーザ動画の所有者には，算出された広告掲載料が支払われることとなる。上述したポイントをすべて１とすることにより広告の送信回数を算出することとなり，その送信回数にもとづいて広告掲載料が算出されることとなる。送信ログを送信ログ・データベースから読み取って送信ログの更新，送信ログのポイントを集計する送信装置（図示略）が送信回数のカウンタとなる。
【００３８】
上述した実施例においては，ハードウェアにより構成されているが，ソフトウェアにより実現するようにしてもよい。
【図面の簡単な説明】
【００３９】
【図１】動画サーバの電気的構成を示すブロック図である。
【図２】ユーザ動画属性の一例である。
【図３】広告条件の一例である。
【図４】送信ログの一例である。
【図５】ユーザ動画ファイルをアップロードする処理手順を示すフローチャートである。
【図６】広告付き動画ファイルを送信する処理手順を示すフローチャートである。
【符号の説明】
【００４０】
１  第１のクライアント・コンピュータ
２  第２のクライアント・コンピュータ
10  動画サーバ
11  ユーザ動画受信装置
12  ユーザ／広告動画決定装置
13  広告付き動画生成装置
14  広告付き動画通信装置
21  ユーザ動画データベース
22  広告動画データベース
23  送信ログ・データベース
【図１】
2008228123.tif 000003
【図２】
2008228123.tif 000004
【図３】
2008228123.tif 000005
【図４】
2008228123.tif 000006
【図５】
2008228123.tif 000007
【図６】
2008228123.tif 000008